(57)【要約】【課題】  ＡＤＦ内に配設された読み取りユニットが有するＣＣＤまたはＣＩＳを高速で駆動する際に発生する放射ノイズを低減させる。【解決手段】  ＡＤＦ内に配設される読み取りユニットが、読み取りユニットの電気的ＧＮＤとリーダー枠体とを電気的に接続する導電性部材を有する。【選択図】  図１
2006245904.tif 000002
【特許請求の範囲】
【請求項１】
プラテン上に静止した原稿を走査して読み取る第１の読み取り部を有する原稿走査ユニットと、原稿走査ユニットに開閉可能に支持され、トレイ上に積載された複数枚の原稿を自動的に搬送する自動原稿搬送装置と、を有する画像読み取り装置であって、
原稿を照明する光源と、原稿上で拡散した光を結像する結像手段と、結像された光を光電変換する光電変換手段と、光電変換手段を駆動し信号を処理する信号処理手段とを有する第２の読み取り部を自動原稿搬送装置内に有し、
第２の読み取り部は、自動原稿搬送装置を原稿走査ユニットに対して閉めたときに、信号処理手段の電気的グラウンドとリーダー枠体とを電気的に接続する導電性部材を有することを特徴とする、画像読み取り装置。
【請求項２】
信号処理手段の電気的グラウンドとリーダー枠体とを電気的に接続する導電性部材が、自動原稿搬送装置を原稿走査ユニットに対して閉めたときの第２の読み取りユニットの原稿走査ユニットに対する上下方向の位置を決定する位置決め部材を兼ねることを特徴とする、請求項１に記載の画像読み取り装置。
【請求項３】
原稿走査ユニットは、導電性コーティングを施されリーダー枠体と電気的に接続されたプラテンガラスを有し、信号処理手段の電気的グラウンドとリーダー枠体とを電気的に接続する導電性部材は、自動原稿搬送装置を原稿走査ユニットに対して閉めたときプラテンガラスに接触することを特徴とする、請求項１または２に記載の画像読み取り装置。
【発明の詳細な説明】
【技術分野】
【０００１】
本発明は、複写機、ファクシミリ、イメージスキャナ等の画像読取装置に関する。
【背景技術】
【０００２】
従来、複写機、ファクシミリ、イメージスキャナ等の画像読取装置は、一般に、露光ランプや折り返しミラーからなる走査光学系にて原稿面を走査する際に得られる反射光を、レンズを介して光電変換素子上に結像させ、電気信号に変換するようになっている。原稿の読み取り方式としては、原稿台原稿台ガラス上に静止した原稿を読み取る固定読み方式と、自動原稿搬送装置（ＡＤＦ）によって搬送されている原稿を読み取る流し読み方式が知られている。
【０００３】
表裏両面に画像のある原稿をＡＤＦによる流し読みにて読み取る方法としては、読み取り部は一箇所であって、１回目の搬送時に片方の面を読み取った後、ＡＤＦ内に設けられた表裏反転パスを通すことにより原稿を反転させ他方の面を読み取るような方法と、表面読み用と裏面読み用に２ヶ所設けられた読み取り部によって一回の搬送動作で両面を読み取るような方法がある。近年は、読み取り動作高速化の要求に伴って、読み取り部を２ヵ所設ける方法が主流となってきている。
【０００４】
たとえば、図５に示すように、ＡＤＦの搬送経路内の排紙口直前にコンタクトイメージセンサ（ＣＩＳ）を設け、リーダーユニットが有する第１の読み取り部で、ＡＤＦが搬送してくる原稿の表面を読み取った後、ＡＤＦが有するＣＩＳで裏面を読み取るような装置が開示されている（例えば、特許文献１参照）。
【０００５】
また他の構成として、ＡＤＦ内上方にレンズとＣＣＤを設け、複数の折り返しミラーにて光路を形成し、リーダーユニットが有する第１の読み取り部でＡＤＦにより搬送されてくる原稿表面読み取った後、ＡＤＦ内のＣＣＤで裏面を読み取るような装置が開示されている（例えば、特許文献２参照）。
【特許文献１】特開２０００−２０１２５１号公報
【特許文献２】特開２００２−９４７４３号公報
【発明の開示】
【発明が解決しようとする課題】
【０００６】
しかしこれらの従来の方法では、以下のような問題点があった。
【０００７】
画像読み取り時にＣＣＤまたはＣＩＳを駆動すると発生する放射ノイズを低減するためには、ＣＣＤおよびＣＩＳと電源のＧＮＤを強固に接続する必要があるが、ＡＤＦの大部分が樹脂素材で形成されることが多く、ＣＣＤおよびＣＩＳをＡＤＦ内部に配置する構成ではＧＮＤとの接続が難しい。
【０００８】
ＡＤＦは一般にリーダーユニットに対して開閉するので、ＡＤＦを開閉可能に支持するヒンジを用いてリーダーユニットに取り付けられるが、従来はヒンジ部のみでＧＮＤ接続されているため接続が弱く、接続経路も長くなってしまうので放射ノイズを低減する効果が不十分である。
【課題を解決するための手段】
【０００９】
以上のような問題を解決するため、本発明における画像読取装置は、プラテン上に静止した原稿を走査して読み取る第１の読み取り部を有する原稿走査ユニットと、原稿走査ユニットに開閉可能に支持され、トレイ上に積載された複数枚の原稿を自動的に搬送する自動原稿搬送装置と、を有する画像読み取り装置であって、原稿を照明する光源と、原稿上で拡散した光を結像する結像手段と、結像された光を光電変換する光電変換手段と、光電変換手段を駆動し信号を処理する信号処理手段とを有する第２の読み取り部を自動原稿搬送装置内に有し、第２の読み取り部は、自動原稿搬送装置を原稿走査ユニットに対して閉めたときに、信号処理手段の電気的グラウンドとリーダー枠体とを電気的に接続する導電性部材を有することを特徴とする。
【発明の効果】
【００１０】
本発明によれば、ＡＤＦ上に配設されるＣＣＤまたはＣＩＳとリーダーユニットとを短い経路で確実にＧＮＤ接続することができるので、画像読み取り時にＣＣＤまたはＣＩＳから発生する放射ノイズを低減させることができる。
【発明を実施するための最良の形態】
【００１１】
（実施例１）
図１を用いて本発明を用いた画像読取装置の第一の実施例について説明する。
【００１２】
図１において、１０１はリーダーユニットであり、１０２は原稿を照明する光源、１０３・１０４・１０５は原稿で拡散した光を導く反射ミラー、１０６は導かれてきた光を結像させるレンズ、１０７は結像された光を光電変換するＣＣＤ、１０８は原稿を載置する原稿台ガラスである。光源１０２および反射ミラー１０３は第１のミラー台１０９に、反射ミラー１０４および１０５は第２のミラー台１１０に保持されている。１１１はＡＤＦによって搬送されてくる原稿を読み取る際に用いる流し読みガラスであり、ガラス表面にゴミがつく頻度を減らすため、表面に導電性コーティングを施し、リーダーユニット１０１の枠体に電気的に接続され、リーダーユニット１０１の枠体は図示しないリーダーユニット駆動回路のＧＮＤに接続されている。原稿台ガラス１０８上に載置された原稿を読み取る際には、光源１０２を点灯させ、図示しない駆動機構により第１および第２のミラー台を移動させて原稿に光を照射し、原稿面で拡散された光を反射ミラー１０３〜１０５にてレンズ１０６まで導いてＣＣＤ１０７に結像させ、ＣＣＤ１０７で光電変換することによって画像を電気信号として読み取る。第１のミラー台１０９と第２のミラー台１１０は２：１の速度比で移動するように構成されているため、物像間距離を一定に保ったまま原稿を走査することができる。
【００１３】
２０１はＡＤＦユニットである。２０２は原稿束を積載する給紙トレイ、２０３・２０４・２０５・２０６・２０７・２０８は原稿を一枚ずつ搬送する搬送ローラ、２０９は搬送されてきた原稿が排出され積載される排紙トレイである。２１０はプラテンローラで、この下を原稿が通過するときに、リーダーユニットによって原稿の一方の面が読み取られる。２１１は搬送されてくる原稿の他方の面を読み取るためにＡＤＦ２０１内に配設されたＣＩＳユニットである。
【００１４】
図２にＣＩＳユニット２１１の拡大図を示す。ＣＩＳユニット２１１は、光源２１２、レンズアレイ２１３、結像素子２１４、信号処理基板２１５、突き当て部材２１６からなり、ＣＩＳユニット２１１を流し読みガラス１１１に対して付勢するための弾性部材２１７を介してＡＤＦユニット２０１に取り付けられ、突き当て部材２１６が流し読みガラス１１１に突き当たることによって、ＣＩＳユニットが光軸方向の所定の位置に保持される。突き当て部材２１６はアルミなどの金属や導電性樹脂のような導電性を有する素材からなり、信号処理基板２１５のＧＮＤと電気的に接続されている。
【００１５】
このような構成で、ＡＤＦユニットを用いて原稿を読み取る際には、まず給紙トレイ２０２上に原稿を積載する。読み取り開始の操作が行われると、リーダーユニット１０１内の第１・第２のミラー台１０９・１１０が図示しない駆動機構により所定の読み取り位置（プラテンローラ２１０の下の位置）に移動する。給紙トレイ２０２に積載された原稿は搬送ローラ２０３〜２０８によってＡＤＦ内部を搬送され、プラテンローラ２１０の下を通過する際に原稿のおもて面が、ＣＩＳユニット２１１の下を通過する際に裏面が読み取られ、排紙トレイ２０９上に排出される。
【００１６】
ＣＩＳユニット信号処理基板２１５のＧＮＤは、導電性を有する突き当て部材２１６および導電性コーティングを施した流し読みガラス１１１を介して、リーダーユニット１０１の枠体に接続される。リーダーユニット枠体はリーダーユニット駆動回路のＧＮＤと接続されているから、ＣＩＳユニットは最短の経路で強固なＧＮＤ接続を得ることができ、画像読み取り時の信号処理基板２１５からの放射ノイズの発生を低減することができる。
【００１７】
ＣＩＳユニットを流し読みガラスに対して付勢する弾性部材２１７は設けなくてもＣＩＳユニットをＧＮＤに接続する効果は得られるが、一般にＡＤＦユニットはリーダーユニットに対して開閉可能に支持されるため、ＡＤＦユニットとリーダーユニットの相対的な位置関係によらず確実に導通を確保するためには設けるのが望ましい。
【００１８】
ＣＩＳユニットとリーダー枠体との導通をとる方法として、本実施例では流し読みガラスの導電性コーティングを利用し、ＣＩＳユニットが有する突き当て部材が導通をとる働きを兼ねるような構成について説明したが、この方法に限られたものではなく、たとえば流し読みガラスに突き当たる突き当て部材とは別にＣＩＳユニットに直接リーダー枠体に接触するような導電性部材を設けるような方法や、導電性素材からなる突き当て部材を直接リーダー枠体に突き当てるような方法でも同様の効果を得ることができる。
【００１９】
（実施例２）
図３を用いて本発明を用いた画像読取装置の実施例２について説明する。
【００２０】
実施例１ではＡＤＦ内の読み取りデバイスとしてＣＩＳユニットを用いたが、本実施例では光源、折り返しミラー、レンズ、ＣＣＤを一体的に保持するワンボックス読み取りユニットを用いている。
【００２１】
図３において、２１８はワンボックス読み取りユニットで、その内部には光源２１９、折り返しミラー２２０・２２１・２２２、レンズ２２３、ＣＣＤ２２４、信号処理基板２２５が配設されている。ワンボックス読み取りユニット２１８はＡＤＦユニットに取り付けられており、リーダーユニットに対する位置はワンボックス読み取りユニットに設けられた突き当て部材２２６が流し読みガラスに突き当たることによって決定される。
【００２２】
突き当て部材２２６はアルミなどの金属や導電性樹脂のような導電性を有する素材からなり、信号処理基板２２５のＧＮＤと電気的に接続されている。
【００２３】
このような構成で、実施例１で説明したのと同様にＡＤＦを用いた読み取り動作を行い、ワンボックス読み取りユニット２１８の下を通過するときに給紙トレイ上に積載された原稿の裏面を読み取る。
【００２４】
ワンボックス読み取りユニット信号処理基板２２５のＧＮＤは、導電性を有する突き当て部材２１６および導電性コーティングを施した流し読みガラスを介して、リーダーユニットの枠体に接続される。リーダーユニット枠体はリーダーユニット駆動回路のＧＮＤと接続されているから、ＣＩＳユニットは最短の経路で強固なＧＮＤ接続を得ることができ、画像読み取り時の信号処理基板２２５からの放射ノイズの発生を低減することができる。
【図面の簡単な説明】
【００２５】
【図１】実施例１における画像読取装置の概略構成を示す図である。
【図２】実施例１におけるＣＩＳユニットの拡大図である。
【図３】実施例２における画像読取装置の概略構成を示す図である。
【符号の説明】
【００２６】
１０１  リーダーユニット
１１１  導電性コーティングを施した流し読みガラス
２０１  ＡＤＦユニット
２１１  ＣＩＳユニット
２１５  信号処理回路
２１６  導電性突き当て部材
２１８  ワンボックス読み取りユニット
２２５  信号処理回路
２２６  導電性突き当て部材
【図１】
2006245904.tif 000003
【図２】
2006245904.tif 000004
【図３】
2006245904.tif 000005